(57)【要約】【課題】給油をするユーザが洗車を行う際、ユーザにとって使いやすく利便性の高い給油洗車システムを提供する。【解決手段】車両に給油を行う給油装置３１と、車両の洗車を行う洗車機ＷＡと、可搬性の筐体と、前記筐体上に配されるとともに前記洗車機を所望の動作条件で動作させる洗車情報を説明員の補助を得て入力する入力部と、前記洗車情報を前記洗車機により読解可能な形式で出力する出力部とを有する携帯型洗車情報入出力装置１と、を備え、前記携帯型洗車情報入出力装置を介して給油後に前記洗車情報を設定し、給油後に前記洗車情報を用いて洗車することを特徴とする給油洗車システムとした。【選択図】図２
2011042253.tif 000002
【特許請求の範囲】
【請求項１】
車両に給油を行う給油装置と、
車両の洗車を行う洗車機と、
可搬性の筐体と、前記筐体上に配されるとともに前記洗車機を所望の動作条件で動作させる洗車情報を説明員の補助を得て入力する入力部と、前記洗車情報を前記洗車機により読解可能な形式で出力する出力部とを有する携帯型洗車情報入出力装置と、
を備え、
前記携帯型洗車情報入出力装置を介して給油後に前記洗車情報を設定し、給油後に前記洗車情報を用いて洗車することを特徴とする給油洗車システム。
【請求項２】
前記出力部が前記洗車情報を印刷用紙に印刷する印刷部から成り、前記印刷部によって前記洗車情報をコード化して印刷するとともに、前記洗車機がコード化された前記洗車情報を読み取る読取装置を備えたことを特徴とする請求項１に記載の給油洗車システム。
【請求項３】
前記出力部が前記洗車情報を印刷する印刷装置と通信を行う通信部から成り、前記印刷装置によって前記洗車情報をコード化して印刷するとともに、前記洗車機がコード化された前記洗車情報を読み取る読取装置を備えたことを特徴とする請求項１に記載の給油洗車システム。
【請求項４】
前記印刷装置が前記給油装置の近傍または説明員が待機する事務所内に配置されることを特徴とする請求項３に記載の給油洗車システム。
【請求項５】
前記印刷装置は可搬性があることを特徴とする請求項３に記載の給油洗車システム。
【請求項６】
可搬性の筐体と、前記筐体上に配されるとともに洗車機を所望の動作条件で動作させる洗車情報を入力する入力部と、前記洗車情報を洗車機により解読可能な形式で出力する出力部とを備えたことを特徴とする携帯型洗車情報入出力装置。
【請求項７】
前記出力部が前記洗車情報をコード化して印刷用紙に印刷する印刷部から成ることを特徴とする請求項６に記載の携帯型洗車情報入出力装置。
【請求項８】
前記出力部が前記洗車情報を印刷する印刷装置または洗車機と通信を行う通信部から成ることを特徴とする請求項６に記載の携帯型洗車情報入出力装置。
【発明の詳細な説明】
【技術分野】
【０００１】
本発明は、給油所に設けられた給油洗車システム及び携帯型洗車情報入出力装置に関するものである。
【背景技術】
【０００２】
車両へガソリンなどの燃料補給を行う給油所には、給油客が自分で給油するセルフサービスの給油所と、作業員が給油を行うフルサービス給油所とがある。セルフサービス給油所では、給油客に対して給油操作案内を行い、フルサービス給油所では給油中の待ち時間に、窓拭きやゴミを捨てる等のサービスを行っている。
【０００３】
そして、近年はガソリンなどを給油客自身が給油するセルフサービス給油所が脚光を浴びつつある。燃料油を販売する側にとっては、セルフサービス給油を採用すれば、人件費を抑制することによってコスト削減を図り、収益を守りながら燃料油をユーザに安く提供することができる。セルフサービスの給油所では、給油作業の手間をユーザに負担させるので、割安な価格は勿論、給油の課金方法などのサービス情報の説明を分かり易くすることが求められる。
【０００４】
一方、セルフサービス給油の近傍には、給油同様にセルフサービス洗車のための洗車機が配されていることがある。そして、給油中、販売促進のため、セルフサービス洗車のための洗車機の情報を提供することもある。ここで、セルフサービス洗車とは、洗車開始前、被洗浄車両の運転者が自ら洗車位置への被洗浄車両の進入と洗車設備の操作を行い、洗車終了後、自ら被洗浄車両を退場させることである。
【０００５】
セルフサービス洗車の場合では、洗車作業についての初心者や女性、高齢者の場合には、ユーザの車両の装備品が何を備えているのかも分からない場合や、洗車の設定ミスにより、ユーザの車両が壊れるのではないかとという恐怖感から、洗車を所望していても、洗車をせずに帰っていく場合がある。
【０００６】
そのため、セルフサービスの給油所と同様、セルフサービス洗車においても、洗車作業の手間をユーザに負担させるので、割安な価格は勿論、装備品の設定、洗車方法などの洗車情報の説明を分かり易くすることが求められる。
【０００７】
ここで、下記特許文献１では販売管理装置にて洗車商品（洗車メニュー）をバーコード化して発行し、ユーザが洗車機にて、それを読み取らせて洗車を行う装置が開示されている。これにより洗車方法などの洗車情報の設定入力が容易になる。
【先行技術文献】
【特許文献】
【０００８】
【特許文献１】特開２００２−３１６６２４号公報
【発明の概要】
【発明が解決しようとする課題】
【０００９】
しかしながら、上記特許文献１に記載された販売管理装置は、ガソリンスタンドやコンビニエンススタンドの売り場内に設置固定されたＰＯＳであって、持ち運びができない。即ち、洗車商品（洗車メニュー）を購入するためには、ユーザはＰＯＳが設置されているガソリンスタンドやコンビニエンススタンドの売り場内へ行く必要がある。
【００１０】
また、給油所から販売管理装置は離れているため、給油作業中に販売管理装置の存在に気づかない虞もある。そうすると、給油をしているユーザに対して、洗車に対するサービスが十分提供されないという問題があった。
【００１１】
そこで、本発明が斯かる問題点を鑑みてなされたものであって、その目的とするところは給油するユーザに使い易く、利便性の高い給油洗車システム及び携帯型洗車情報入出力装置を提供するものである。
【課題を解決するための手段】
【００１２】
上記目的を達成するために本発明は、車両に給油を行う給油装置と、車両の洗車を行う洗車機と、可搬性の筐体と、前記筐体上に配されるとともに前記洗車機を所望の動作条件で動作させる洗車情報を説明員の補助を得て入力する入力部と、前記洗車情報を前記洗車機により読解可能な形式で出力する出力部とを有する携帯型洗車情報入出力装置と、を備え、前記携帯型洗車情報入出力装置を介して給油後に前記洗車情報を設定し、給油後に前記洗車情報を用いて洗車することを特徴とする給油洗車システムである。
【００１３】
この構成によると、車両に給油を行う給油装置と、車両の洗車を行う洗車機と、携帯型洗車情報入出力装置と、を備え、前記携帯型洗車情報入出力装置を介して給油後に前記洗車情報を設定し、給油後に前記洗車情報を用いて洗車する。そうすると、給油装置近傍で、携帯型洗車情報入出力装置を利用することで、洗車機に対して洗車情報を説明員の補助を得て、簡単に洗車情報を入力することができる。即ち、利便性の高い給油洗車システムを提供することができる。給油後とは、給油作業を直接行っている時だけでなく、給油所内（ガソリンスタンド）の滞在中、いつでも設定可能という意味であり、給油装置に対して何らかの関わりがあればよい。
【００１４】
尚、ここでいう説明員とは、給油所内のサービス情報を提供したり、洗車機の設定ができる全ての人のことを指すものである。つまり、自動車の給油スタッフという意味に限定されるものではなく、洗車事業者や、自動車ディーラ、洗車機メーカ、自動車用部品販売業者などを含むものである。
【００１５】
上記目的を達成するために、本発明は、前記出力部が前記洗車情報を印刷用紙に印刷する印刷部から成り、前記印刷部によって前記洗車情報をコード化して印刷するとともに、前記洗車機がコード化された前記洗車情報を読み取る読取装置を備えたことを特徴とする給油洗車システムである。
【００１６】
この構成によると、前記洗車情報をコード化して印刷し、前記洗車機がコード化された前記洗車情報を読み取るため、携帯型洗車情報入出力装置で洗車情報を印刷し、これを洗車機にかざすことで洗車作業が可能になる。
【００１７】
上記目的を達成するために本発明は、前記出力部が前記洗車情報を印刷する印刷装置と通信を行う通信部から成り、前記印刷部によって前記洗車情報をコード化して印刷するとともに、前記洗車機がコード化された前記洗車情報を読み取る読取装置を備えたことを特徴とする給油洗車システムである。
【００１８】
この構成によると、前記印刷部によって前記洗車情報をコード化して印刷するとともに、前記洗車機がコード化された前記洗車情報を読み取る読取装置を備えたので、携帯型洗車情報入出力装置は外部の印刷装置へ洗車情報を出力し、印刷する。印刷された洗車情報を洗車機が読み取ることができるので、利便性の高い給油洗車システムを提供することができる。
【００１９】
上記目的を達成するために本発明は、前記印刷装置が前記給油装置の近傍または説明員が待機する事務所内に配置されることを特徴とする給油洗車システムである。
【００２０】
この構成によると、前記印刷装置が前記給油装置の近傍または説明員が待機する事務所内に配置されるので、説明員が見つけやすい場所に印刷装置があるため、すぐに洗車情報をコード化し印刷した用紙を取得でき、これを利用することで利便性の高い給油洗車システムを提供することができる。
【００２１】
上記目的を達成するために本発明は、前記印刷装置は可搬性があることを特徴とする給油洗車システムである。
【００２２】
この構成によると、携帯型洗車情報入出力装置を軽量化するとともに、前記印刷装置が携帯型洗車情報入出力装置にはないため、設定項目が減少し、操作設定が容易になる。さらに、前記印刷装置は可搬性があるため、説明員（給油スタッフ）が腰から吊り下げることができるため利便性が向上する。
【００２３】
上記目的を達成するために本発明は、可搬性の筐体と、前記筐体上に配されるとともに洗車機を所望の動作条件で動作させる洗車情報を入力する入力部と、前記洗車情報を洗車機により解読可能な形式で出力する出力部とを備えたことを特徴とする携帯型洗車情報入出力装置である。
【００２４】
上記目的を達成するために本発明は、前記出力部が前記洗車情報をコード化して印刷用紙に印刷する印刷部から成ることを特徴とする携帯型洗車情報入出力装置である。
【００２５】
上記目的を達成するために本発明は、前記出力部が前記洗車情報を印刷する印刷装置または洗車機と通信を行う通信部から成ることを特徴とする携帯型洗車情報入出力装置である。
【発明の効果】
【００２６】
以上のように本発明によれば、利便性の高い給油洗車システム及び携帯型洗車情報入出力装置を提供することができる。
【図面の簡単な説明】
【００２７】
【図１】本発明に係る給油洗車システムを示す概略図である。
【図２】携帯型洗車情報入出力装置の全体構成を示す側面図である。
【図３】携帯型洗車情報入出力装置が備える各種機能を示す機能ブロック図である。
【図４】本発明に係る給油装置の一例を示す正面図である。
【図５】給油装置が備える各種機能を示す機能ブロック図である。
【図６】洗車機一台の全体構成を示す側面図である。
【図７】本発明に係る洗車機が備えるリモートパネルの一例を示す正面図である。
【図８】給油洗車システムの動作手順を示すフローチャートである。
【図９】給油洗車システムの動作手順を示すフローチャートである。
【図１０】携帯型洗車情報入出力装置の設定画面の一例である。
【発明を実施するための形態】
【００２８】
図１は、本実施形態に係る給油洗車システムを示す概略図である。当該給油洗車システムは、洗車情報を主として設定する携帯型洗車情報入出力装置１と、給油装置３１と、洗車機ＷＡと、洗車機ＷＡに備えられるリモートパネル６７Ａと、被洗浄車両ＣＡと、説明員（給油スタッフ）が待機する事務所（不図示）とから構成されている。
【００２９】
そして、携帯型洗車情報入出力装置１と給油装置３１と洗車機ＷＡと事務所（不図示）は双方向に無線にて通信可能に構成されている。以下、携帯型洗車情報入出力装置１と、給油装置３１と、洗車機ＷＡと、洗車機ＷＡに備えられるリモートパネル６７Ａの構成について各々説明する。
【００３０】
図２は本発明の一実施例としての携帯型洗車情報入出力装置１の外観を示す斜視図である。図２に示すように、無線通信をするためのアンテナ１９と電源ボタン５と洗車や給油する設定車両を撮影するために用いるカメラ部６とスクロールキー７とスピーカー（報知部）８とを備える。
【００３１】
また、携帯型洗車情報入出力装置１の表面にはタッチパネル付きディスプレイ２が設置され、必要な情報を表示するとともに、タッチパネルを直接押圧することにより設定操作が可能である。また、スクロールキー７により表示された画像をスクロールさせて操作することも出来る。即ち、ディスプレイ２やスクロールキー７より、携帯型洗車情報入出力装置１の操作ができ、これにより、後述する洗車情報の設定内容を決定することができる。
【００３２】
携帯型洗車情報入出力装置１には無線通信機能を備えた通信部３が内蔵され、アンテナ１９を介して、作成した設定内容を洗車機ＷＡや説明員が待機する事務所や給油装置３１の近傍に備えられた印刷装置（プリンタ）へ無線通信によって送信することができる。また、携帯型洗車情報入出力装置１には印刷部１１（プリンタ）が内蔵され、携帯型洗車情報入出力装置１で設定した洗車情報の設定内容をバーコードやＱＲコード（商標登録）にコード化して印刷することが出来る。
【００３３】
本実施例に於けるプリンタによって出力されたプリント用紙１８は連続紙であり、用紙カッター４により自動的にカットされる。なお、図２に示されるように、プリンタ用紙１８では洗車情報をＱＲコードによってコード化して出力している。
【００３４】
図３は本発明の一実施例としての携帯型洗車情報入出力装置１の内部構成を示す機能ブロック図である。
【００３５】
図３に示すように、携帯型洗車情報入出力装置１は、全体を制御する制御部１５や、その制御部１５を駆動するプログラムを内蔵する記憶部１０や、洗車機を所望の動作条件で動作させる洗車情報を入力する入力部１３を備えている。なお、前記入力は表示部２やスクロールキー７などから入力が可能である。また、機能ブロックに備える出力部１２は印刷部１１（プリンタ）と通信部３とから構成されている。
【００３６】
即ち、通信部３を介して洗車機ＷＡから送受信したビーコンに含まれるＳＳＩＤおよび通信モード等が記述された機能テーブル等を記憶するための記憶部１０と、記憶部１０に記憶されたデータを印刷可能な形式に展開し、紙などの印刷媒体に印刷する印刷部１１と、ＩＥＥＥ８０２．１１規格のインフラストラクチャモード或いはアドホックモードでデータを送受信し、受信したデータを記憶部１０に記憶している。
【００３７】
さらに、カメラ部６にはレンズ（不図示）とＣＣＤ（不図示）とからなる。レンズは、フォーカスの調節を行い、被写体の光画像を結像する。ＣＣＤは、レンズにより受光面上に結像された被写体光を、ＣＣＤ内の各センサ毎に光の入射量に応じた量の電気的な信号（撮像信号）へ光電変換する。そして、ＣＣＤは、図示しないＣＣＤ駆動回路から入力されるタイミングパルスに制御されることにより、この撮像信号を図示しないアナログ処理回路へ順次出力する。また、ＣＣＤに代えて、ＣＭＯＳ（Complementary  Metal-Oxide  Semiconductor）等の撮像素子としてもよい。
【００３８】
また、記憶部１０おいて構成される図示しない記憶デバイスは一時記憶メモリのＲＡＭやＲＯＭから成り、ＶＲＡＭ（Video  RAM）等の半導体メモリと、メモリーカード等の記録メディアを装着する装着部とを備え、制御部１５から入力される制御信号に従って、半導体メモリへのデータの読み書きや、装着部に装着された記録メディア（例えば、スマートメディア、ＳＤ（Secure  Digital）カード、メモリスティック、コンパクトフラッシュ（登録商標）、マイクロドライブ等の可搬記憶媒体）の記録されたデータの読み出しや、記録メディアへのデータの書き込みを行う。
【００３９】
図４は本発明の給油装置の実施形態の一例を示す正面図である。即ち、給油所の敷地内に設けられた固定式の給油装置である。
【００４０】
給油装置３１は門型フレーム３２内の下部に３台の給油機ケース３３を横に並べて配置する。前記給油機ケース３３の上に操作部３４を配設する。操作部３４は給油装置３１の入出力操作を行うための総称である。３５は支柱であり、給油装置３１はピット４５上に設けられ、複数の油種、例えばレギュラーガソリン、ハイオクガソリン、軽油の３油種の給油系統が組み込まれている。
【００４１】
ピット４５内では図示しないレギュラーガソリン貯油タンクに接続され給油管４６に接続されている。給油管４６は給油装置３１の下部内に配設され、給油ポンプ４７、及び流量計４８が介装され、給油ポンプ４７は給油モータ４９で駆動される。また、流量計４８にはパルス発信器５０が設けられている。
【００４２】
給油管４６は支柱３５内を通って給油ホース３９に接続され、給油ホース３９の先端には給油ノズル３７が取り付けられている。給油ノズル３７は給油装置３１に設けられたノズル掛け３６に着脱され、ノズル掛け３６にはノズルスイッチ５１が設けられている。
【００４３】
上記ではレギュラーガソリンについて説明したが、ピット４５内には図示しないハイオクガソリン貯油タンク、軽油貯油タンクが設けられており、その他の構造は同一であるため省略する。
【００４４】
給油装置３１に設けられた操作部３４には、給油量を表示する給油量表示器３８、油種選択ボタン４０、カードリーダ４１、タッチパネル（表示部）４２、インターフォン４３、キーボード４４、スピーカ５２、給油スタッフ（説明員）などを呼び出す呼出しボタン５４を備えている。
【００４５】
さらに、携帯型洗車情報入出力装置１や洗車機ＷＡと無線通信をするアンテナ５３や給油装置３１の近傍には、図示しないが給油客を検知する人体検知器、車両検知器をそれぞれ備える。
【００４６】
図５は、給油装置３１が備える機能ブロック図である。機能ブロック図には給油装置３１全体を制御する制御部５１とプリペイドカード等の電子データの記録媒体を用いた情報や各給油コースおよびオプションに対応するモードを予め記憶したり、動画からなる洗車機のサービス情報を複数記憶する記憶部５５や、携帯型洗車情報入出力装置１と洗車機ＷＡと無線通信をする通信部（アンテナ）５３とを備える。
【００４７】
操作部３４にて設定される各種給油コース、領収書発行の有無などを、キーボード４４や表示部（タッチパネル）４２から受け付ける。設定された給油コースや領収書発行の有無などを報知部（スピーカ）５２から出力する。また操作部３４では領収書の発行の有無などを選択することも可能である。
【００４８】
表示部４２は、例えばＬＣＤ（Liquid Crystal Display），ＥＬＤ（Electro Luminescence Display）等の画面表示器によって構成され、セルフ給油作業時における給油量、この給油量に給油単価を乗算して演算される給油金額といった給油情報の他、セルフ給油作業における作業手順やその作業内容が動画により案内表示される構成になっている。
【００４９】
また、制御部５１には、給油ポンプ４７のポンプ駆動部４７ａ、給油量表示器３８の表示計駆動部３８ａが形成され、また、パルス発信器５０の流量信号を受けて給油量を算出する計数部５０a、および切換部５０ｂが設けられる。
【００５０】
図６は給油装置内（ガソリンスタンド）に設置され、即ち給油装置に並設される洗車機の一例を示す図である。給油所などに設置されている洗車機ＷＡは、被洗浄車両ＣＡと洗車機本体６１を前後方向に相対移動させながら、被洗浄車両ＣＡに貯液タンクに貯留された液剤や洗浄水を噴霧して洗車を行う構成とされている。
【００５１】
この洗車機ＷＡは、例えば、複数のブラシを備える洗浄部材と、ブロワと複数の送風ノズルを備える乾燥部材とを装着し、被洗浄車両ＣＡを跨ぐように門型とされる洗車機本体６１を備えた構成であり、被洗浄車両ＣＡと洗車機本体６１を前後方向に相対移動させながら、複数の貯液タンクに貯留された液剤をそれぞれ水により希釈して前記被洗浄車両ＣＡへ噴霧して、前記被洗浄車両ＣＡの洗車を行う。
【００５２】
例えば、洗車機本体６１が、車輪６３を介してレール６２上に沿って走行移動する構成とし、被洗浄車両ＣＡを、該被洗浄車両ＣＡを跨ぐ門型とされる洗車機の左右一対のレール間の所定の位置に停車して、洗車機本体６１に設置する操作パネル６７もしくは洗車機本体６１から離れた位置に設置するリモートパネル６７Ａに、所望の洗車モードを設定し、スタートボタンを操作して、洗車操作を開始する。
【００５３】
門型の洗車機本体６１は、被洗浄車両ＣＡを洗浄するブラシとして、例えば、被洗浄車両ＣＡの上面を洗浄するトップブラシ６４と、被洗浄車両ＣＡの両側面と前後面を洗浄する左右一対のサイドブラシ６５と、被洗浄車両ＣＡの両側面下部を洗浄する左右一対のロッカーブラシ６６を備えている。
【００５４】
また、ブラッシングの際に使用する洗浄水や各種液剤を噴霧する各種ノズルや各種液剤を貯液する貯液タンクを備えている。各種液剤を貯液する複数の貯液タンクは、洗車機本体６１に設けられるタンク収納部８０に収納されており、電磁式の開閉弁と副給水ホースを備える分配配管部８１を介して各ノズルに分配している。液剤を噴霧するノズルとしては、例えば、第一浄水ノズル７１、第一洗剤ノズル７２、第二浄水ノズル７３、撥水コートノズル７４、第二洗剤ノズル７５、ワックスノズル７６などが配設されている。
【００５５】
さらに、乾燥のために、ブロワ７７と該ブロワ７７からの送風を吹き付ける昇降自在なトップ送風ノズル７８と左右一対のサイド送風ノズル７９を備えている。また、洗車機本体６１に配設する操作パネル６７、もしくは、洗車機本体６１から離れた位置に設置するリモートパネル６７Ａを介して、洗車機ＷＡの駆動条件を設定し、設定された条件に基づいて洗車機ＷＡを駆動する構成としている。６８は、被洗浄車両ＣＡの有無および車高を検知するセンサであって、例えば、光電センサや超音波を利用したソニックセンサが好適に用いられる。
【００５６】
操作パネル６７やリモートパネル６７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００５７】
また、洗車機本体６１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル６７もしくはリモートパネル６７Ａを備えていることは同じである。
【００５８】
上記した洗車機ＷＡにおいては、一台の洗車機に一台の操作パネル６７もしくはリモートパネル６７Ａが配設された１：１構成とされていて、洗車の際には、車種に適応した洗車モードや使用者が所望する洗車モードに設定する必要がある。そのために、操作パネル６７やリモートパネル６７Ａに、ユーザもしくは洗車スタッフが所定の洗車モードを選択して設定している。
【００５９】
洗車機の操作部を構成する操作パネル６７もしくはリモートパネル６７Ａは、押ボタンとディジタル表示器等から構成されている。そしてこれらのパネルから車種の設定、装備品の設定、洗車コースを選択して洗車を実行している。
【００６０】
図７に示す操作盤面式のリモートパネル６７Ａは、洗車機ＷＡの洗車モードを設定する装置であって、図６に示すように、洗車機ＷＡへの進入経路上に設置されている。
【００６１】
リモートパネル６７Ａは、支柱１００にパネル本体１０１が上下動自在に装着された構成であって、支柱１００に昇降装置（不図示）を内蔵し、上昇ボタン１１５ａ、もしくは下降ボタン１１５ｂを押下して、所定の距離を昇降自在な構成とされている。なお上昇ボタン１１５ａと下降ボタン１１５ｂを総称し、昇降ボタン１１５とする。
【００６２】
パネル本体１０１の正面側には、返却レバー１０２、コイン投入口１０３、紙幣投入口１０４を設けている。さらに、プリペイドカード等の電子データの記録媒体の読取装置としてのカード投入口１０５と洗車情報を設定された紙媒体を読み取るための光学的読取機能を備えた読取部１０６とつり銭の返却口もしくは領収書やレシートの発行部となる払い出し部１１７が設けられている。
【００６３】
さらに、リモートパネル６７Ａには、報知部として音声出力を行うスピーカ１１８が設けられており、洗車モードの設定操作の内容や手順を案内する音声ガイド、もしくは、注意事項などの音声ガイドを出力可能としている。また、音声ガイドの出力を停止する停止ボタン１０７と音声ガイドの音量を調整するボリューム調整ボタン１０８が設けられている。また、リモートパネル６７Ａ部に進入してくる被洗浄車両ＣＡを検知する反射型光電センサである車両検知センサ１１９を設けている。
【００６４】
また、リモートパネル６７Ａには、投入された金額を表示する金額表示部１０９、各種の洗車モードに対応する設定ボタン１１０が設けられている。設定ボタン１１０には、例えば、シャンプーを行うボタン、ワックス掛けを行うボタン、撥水コートを行うボタン、第２（高級）シャンプー、第２（高級）ワックス、第２（高級）撥水コートや特殊なコートを行う選択ボタン等を設ける構成としている。
【００６５】
さらに、リモートパネル６７Ａには、装備品設定ボタン１１１を備える。装備品設定ボタン１１１として、例えば、該当装備品なしボタン、フロントガードありボタン、フェンダーポールありボタン、ドアミラーありボタン、リヤワイパーありボタンなどが設けられている。また、スタート操作ボタン１１４として、例えば、スタートボタン１１４ａ、キャンセルボタン１１４ｂが設けられている。また洗車設定を無線で受ける処理を行うための洗車設定無線受付ボタン１１６も備える。
【００６６】
次に、図８及び図９に示すフローチャートを用いて、給油洗車システム及び携帯型洗車情報入出力装置の動作について説明する。
【００６７】
ステップＳ１では、自動車が給油所内に進入し、給油装置３１の前の給油地点に停止して給油をするためにユーザが自動車から降りて給油装置３１の前に移動すると、人体検知器が給油客を検知する。
【００６８】
ステップＳ２では、人体検知信号を受けて、表示部４２には給油操作案内が表示される。例えば、表示部４２に「○○給油所 ご利用有り難うございます」の表示され、当該内容をスピーカ５２から報知してもよい。また、カードリーダ４１などによって、個人情報を特定することも可能である。さらに「静電気が非常に発生し易い状況です。静電気除去シートに触れてください。」と表示部４２やスピーカ５２から報知してもよい。
【００６９】
ステップＳ３では、油種や給油量の設定をし、給油を開始する。なお、油種には主としてレギュラーガソリン、ハイオクガソリン、軽油がある。給油管４６内の燃料油は、給油ポンプ４７、流量計４８、及び給油ホース３９を介して、給油ノズル３７から自動車の燃料タンク内へ給油される。そして制御部５１は、流量計４８の流量パルス発信器５０の流量信号を演算し、演算した給油量と給油金額を表示部４２に表示する。
る。
【００７０】
ステップＳ４では、給油装置３１の表示部４２や報知部５２から洗車広告が行われる。例えば、洗車割引キャンペーの案内、新しい洗車コースやＷＡＸが開発された案内などに加え、洗車機ＷＡの設定をユーザ自ら行わなくても、給油スタッフ（説明員）が携帯型洗車情報入出力装置１を持ってきて、一緒に洗車の設定をしてくれるという広告情報が案内される。
【００７１】
ステップＳ５では、給油ノズル３７の弁が閉じ、流量制御弁（不図示）も閉じ、スピーカ５２や表示部４２から「給油が停止しました。キャップの閉め忘れに注意して下さい。」という様な音声を報知もしくは表示して、給油は終了する。尚、ステップＳ４では洗車広告をアナウンスしたが、ステップＳ３の給油前やステップＳ５の給油後であってもよく、給油するユーザにアナウンスできればよい。
【００７２】
ステップＳ６では、上記洗車広告に興味のあったユーザは給油装置３１に備える呼出しボタン５４を押下することによって、給油スタッフ（説明員）を呼出す。呼出しボタン５４を押下すると、どの給油装置３１の呼出しボタン５４が押されたかは、給油装置３１に備えるランプ（不図示）や給油スタッフが持つ無線振動装置（不図示）によって把握することができる。
【００７３】
ステップＳ７では、給油スタッフ（説明員）は携帯型洗車情報入出力装置１を呼出しボタン５４を押下したユーザのもと（給油装置３１近傍）へ持参する。
【００７４】
ステップＳ８では、説明員の補助を受けて洗車情報を入力する。洗車情報とは洗車機ＷＡを所望の動作条件で動作させるためのものであり、洗車モードの設定、装備品の設定などがある。
【００７５】
即ち、リモートパネル６７Ａで行える洗車機を所望の動作条件で動作させる洗車情報の設定が携帯型洗車情報入出力装置１でも行える。具体的には、図１０に示すように各種の洗車モードに対応する洗車コース設定ボタン２１が表示部２設けられており、これを用いて設定を行う。例えば、シャンプーを行うボタン、ワックス掛けを行うボタン、撥水コートを行うボタンや、第２（高級）シャンプー、第２（高級）ワックス、第２（高級）撥水コートや特殊なコートを行う選択ボタン等を設ける構成としている。
【００７６】
給油スタッフ（説明員）はこれらの洗車モードの違いや効果を説明するとともに、キャンペーン情報があればあわせてそれも説明する。
【００７７】
さらに、携帯型洗車情報入出力装置１には、図１０に示すように装備品設定ボタン２２を備える。装備品設定ボタン２２として、例えば、該当装備品なしボタン、フロントガードありボタン、フェンダーポールありボタン、ドアミラーありボタン、リヤワイパーありボタンなどが設けられている。
【００７８】
また、カメラ部６によって撮影した車両を２３のように表示するとともに、各種設定がどの部分に対応するかを示しても良い。さらに例えば、スタートボタン２４、キャンセルボタン２５を設けたり、洗車料金を表示したりする。
【００７９】
これらの設定を給油スタッフ（説明員）の補助を得て入力するので洗車の初心者や女性、高齢者など、設定が分からない人でも、容易に洗車の設定が可能になる。さらに、給油作業の前後で行えるために、わざわざ洗車機ＷＡのリモートパネル６７Ａで設定する必要がなく、ユーザの移動の負担も軽減される。
【００８０】
さらに、給油スタッフ（説明員）は、洗車コースや装備品の設定以外に、洗車を設定した給油スタッフ（説明員）の情報、車輌ナンバー、点検メニューなども同時に洗車情報に設定することができる。これにより、ユーザの利用履歴を把握でき、次回の洗車情報や点検サービスにも利用することができる。
【００８１】
ステップＳ９では、携帯型洗車情報入出力装置１で設定した前記洗車情報を印刷するか否か判定する。印刷する場合にはステップＳ１０へ移行し、印刷しない場合にはステップＳ１１へ移行する。印刷する場合には洗車機ＷＡが備える読取部１０６を利用し、印刷しない場合には、通信部３を利用して洗車機ＷＡへ直接洗車情報を送信する。
【００８２】
ステップＳ１０では、携帯型洗車情報入出力装置１の筐体内の印刷部１１によって印刷するか否か判定する。筐体内部の印刷部から印刷する場合にはステップＳ１２へ移行し、筐体外部であって、給油装置３１の近傍または洗車スタッフ（説明員）が待機する事務所内に設置された印刷装置（プリンタ）を利用する場合にはステップＳ１３へ移行する。
【００８３】
ステップＳ１１では、前記洗車情報を洗車機ＷＡへ出力する。これによって洗車機ＷＡは前記洗車情報を受け取り、洗車動作を行うための情報を取得する。また印刷しないため、印刷用紙の破損の恐れもなく、無線通信によって行うため、個々に配線工事をする必要がなく、洗車情報もリアルタイムに洗車機ＷＡへ反映される。
【００８４】
ステップＳ１２では、携帯型洗車情報入出力装置１の筐体内の印刷部１１によって洗車情報をコード化して印刷する。コード化には二次元コードが用いられ、表示スペースの関係からバーコードではなくＱＲコードなどの情報量が多いものを用いることが好ましい。図２で示されるように、印刷部１１で出力されたプリント用紙１８は連続紙であり、用紙カッター４により自動的にカットされる。なお、プリンタ用紙１８では洗車情報をＱＲコードによってコード化して出力している。
【００８５】
ステップＳ１３では、携帯型洗車情報入出力装置１には備えていない印刷装置から洗車情報を印刷する。例えば、給油装置３１の近傍または洗車スタッフ（説明員）が待機する事務所内に設置された印刷装置（プリンタ）を利用し、洗車情報を上記と同様にコード化して印刷する。
【００８６】
前記印刷装置は、可搬性があってもよい。可搬性のため持ち運びでき、説明員（給油スタッフ）が腰から吊り下げることができるため利便性が向上する。また、携帯型洗車情報入出力装置では印刷部を持たないため軽量化できるとともに、印刷設定項目を持たないため、他の設定項目に集中でき、操作設定が容易になる。
【００８７】
ステップＳ１４では、洗車情報を読み込む。ステップＳ１２やＳ１３ではコード化されて印刷された洗車情報をリモートパネル６７Ａに備える読取部１０６によって読み取る。一方、ステップＳ１１の場合には、洗車機ＷＡの通信部（図示せず）から洗車情報を読み取り、洗車設定無線受付ボタン１１６を押下することにより、ユーザの洗車情報を特定する。
【００８８】
ステップＳ１５では、前記洗車情報を読み取り、洗車を開始し、ステップＳ１６では洗車を終了する。
【００８９】
上記の通り、車両に給油を行う給油装置３１と、車両の洗車を行う洗車機ＷＡと、可搬性の筐体と、前記筐体上に配されるとともに前記洗車機を所望の動作条件で動作させる洗車情報を説明員の補助を得て入力する入力部と、前記洗車情報を前記洗車機により読解可能な形式で出力する出力部とを有する携帯型洗車情報入出力装置１と、を備え、前記携帯型洗車情報入出力装置を介して給油後に前記洗車情報を設定し、給油後に前記洗車情報を用いて洗車することを特徴とする給油洗車システムである。
【００９０】
このため、利便性の高い、使い勝手のよい給油洗車システムを提供し、洗車機の利用を促進し、給油を行うと同時に洗車の設定を給油スタッフ（説明員）の補助を得ながらできるため、結果継続的な来店を促進することができる。つまり、ガソリンスタンドにとってもユーザにとっても効率的なサービス提供が可能となる。
【００９１】
さらに、携帯型洗車情報入出力装置１は可搬性であるため、給油所内に最低限の個数だけ導入すればよく、コストの削減になる。また、可搬性であるため、呼出しボタン５４を押下したユーザに限らず、事務所内（店内）で休まれているユーザのもとに持参することができ、洗車の促進を図ることができる。
【００９２】
また本発明の構成は、上記実施形態のほか、発明の趣旨を逸脱しない範囲で種々の変更を加えることが可能である。
【符号の説明】
【００９３】
１      携帯型洗車情報入出力装置
２      表示部
３      通信部
１２    出力部
３１    給油装置
６７Ａ  リモートパネル
１０６  呼出ボタン
ＣＡ    被洗浄車両
ＷＡ    洗車機
【図１】
2011042253.tif 000003
【図２】
2011042253.tif 000004
【図３】
2011042253.tif 000005
【図４】
2011042253.tif 000006
【図５】
2011042253.tif 000007
【図６】
2011042253.tif 000008
【図７】
2011042253.tif 000009
【図８】
2011042253.tif 000010
【図９】
2011042253.tif 000011
【図１０】
2011042253.tif 000012